(57)【要約】【課題】各種製品に具備されているボルト（もしくはナット）をビット工具で回動させる作業時に、誤って工具の先端が製品に当たった場合でも、製品を傷付けることを防止することができる工具を提供する。【解決手段】ボルト１の頭部１ａに設けられた角溝１ｂに先端１０ａが嵌入されてボルト１を回動させるのに用いられるビット工具１０であって、ボルト１の頭部１ａの角溝１ｂに嵌入される先端部２と、この先端部２の端面２ａに設けられた合成樹脂からなる緩衝部３とを備えた。【選択図】      図１
2005034915.tif 000002
【特許請求の範囲】
【請求項１】
ボルトの頭部に設けられた角溝に先端が嵌入されてボルトを回動させるのに用いられるビット工具であって、
上記ボルトの頭部の角溝に嵌入される先端部と、
この先端部の端面に設けられた合成樹脂からなる緩衝部と
を備えたことを特徴とするビット工具。
【請求項２】
上記緩衝部は、上記先端部の端面を覆う板状部と、
この板状部の概ね中央に設けられた突起部とを有し、
上記先端部は、端面の概ね中央に設けられ上記突起部を収容する突起収容孔と、端面の周囲に設けられた面取り部とを有していることを特徴とする請求項１記載のビット工具。
【請求項３】
上記板状部は、上記先端部の端面の中央部を覆う円板状に形成されていることを特徴とする請求項１または請求項２のいずれかに記載のビット工具。
【請求項４】
上記板状部は、上記先端部の端面の全面を覆うように形成されていることを特徴とする請求項１または請求項２のいずれかに記載のビット工具。
【請求項５】
ボルトの頭部もしくはナットに嵌合してボルトもしくはナットを回動させるのに用いられるボックスビット工具であって、
上記ボルトの頭部もしくはナットの外周面に嵌合するボックス部と、
このボックス部の外面を覆うように設けられた合成樹脂からなるカバー部と
を備えたことを特徴とするボックスビット工具。
【請求項６】
上記ボックス部の基部側に設けられた基部側部材を覆う被覆部を備えたことを特徴とする請求項５記載のボックスビット工具。
【発明の詳細な説明】
【０００１】
【発明の属する技術分野】
本発明は、機械の構成要素であるボルトやナットを回動させるのに用いるビット工具およびボックスビット工具に関するものである。
【０００２】
【従来の技術】
一般に、機械の構成要素であるボルトを回動させるのに用いる工具として、ボルトの頭部に設けられた六角形や四角形の角溝に先端が嵌入されてボルトを回動させるビット工具が知られている。また、ボルトもしくはナットを回動させるのに用いる工具として、六角形や四角形のボルトの頭部もしくはナットに嵌合してボルトもしくはナットを回動させるボックスビット工具が知られている。
【０００３】
このような工具は、ボルトやナットを回動させる際に、工具とボルトやナットとの接触部分に大きな荷重が働くために、一般に工具の先端や先端に連設される基部側の部材が金属で構成されている。
【０００４】
【発明が解決しようとする課題】
自動二輪車の組み立てラインで組み立てられた自動二輪車は、最後に完成検査が行われるが、その際、樹脂製の車体カバーやエンジンカバーに細かい傷が発見された。最初は、原因がわからなかったが、工程を通して原因を追求したところ、以下の理由であることをつきとめた。
【０００５】
すなわち、上述のビット工具およびボックスビット工具では、ラインでの組み立て作業中、ビット工具の先端がボルトの頭部へ移動される過程で、あるいは、先端が頭部の角溝に嵌入される際、あるいはボックス部がボルトの頭部もしくはナットへ移動される過程で、あるいは、そこに嵌合される際に、ボルト等が具備されている製品のボルト（もしくはナット）周辺の部分（樹脂製カバー等の特に傷つき易い部分）に誤って工具の先端や基部側の部材が当たった場合に、製品を傷付けることが避けられなかった。
【０００６】
本発明は上記不具合に鑑みてなされたものであり、作業中に製品を傷付けることを防止することができるビット工具およびボックスビット工具を提供することを課題としている。
【０００７】
なお、出願人の知る限りでは本願出願に類する公知例が無いため、本出願の時点では開示すべき先行技術文献情報は保有していない。
【０００８】
【課題を解決するための手段】
上記課題を解決するための本発明のビット工具は、ボルトの頭部に設けられた角溝に先端が嵌入されてボルトを回動させるのに用いられるビット工具であって、上記ボルトの頭部の角溝に嵌入される先端部と、この先端部の端面に設けられた合成樹脂からなる緩衝部とを備えたことを特徴とするビット工具である。
【０００９】
本発明のビット工具によれば、先端部の端面に合成樹脂からなる緩衝部を備えているので、ビット工具の先端がボルトの頭部の角溝に嵌入される際等に、ボルトが具備されている製品のボルト周辺の部分に誤ってビット工具の先端が当たった場合でも、製品を傷付けることを防止することができる。
【００１０】
また、上記緩衝部は、上記先端部の端面を覆う板状部と、この板状部の概ね中央に設けられた突起部とを有し、上記先端部は、端面の概ね中央に設けられ上記突起部を収容する突起収容孔と、端面の周囲に設けられた面取り部とを有していることが好ましい。
【００１１】
この好ましい態様によれば、緩衝部が、板状部と、この板状部の概ね中央に設けられた突起部とを有し、先端部が、突起部を収容する突起収容孔を有しているので、緩衝部の突起部を先端部の突起収容孔に収容することにより、板状部を先端部に取り付けて容易に先端部の端面を覆うようにすることができる。
【００１２】
また、先端部の端面の周囲に面取り部が設けられているので、緩衝部が磨耗して先端部が露出した後でもビット工具の先端をボルト頭部の角溝にスムースに嵌入させることができる。
【００１３】
ここで、上記板状部は、上記先端部の端面の中央部を覆う円板状に形成されていることが好ましい。
【００１４】
この好ましい態様によれば、板状部が、先端部の端面の中央部を覆う円板状に形成されているので、どの方向からでもビット工具の先端をボルト頭部の角溝にスムースに嵌入させることができる。
【００１５】
また、上記板状部は、上記先端部の端面の全面を覆うように形成されていることが好ましい。
【００１６】
この好ましい態様によれば、板状部が、先端部の端面の全面を覆うように形成されているので、ビット工具の先端で製品を傷付けることをより確実に防止することができる。
【００１７】
次に、上記課題を解決するための本発明のボックスビット工具は、ボルトの頭部もしくはナットに嵌合してボルトもしくはナットを回動させるのに用いられるボックスビット工具であって、上記ボルトの頭部もしくはナットの外周面に嵌合するボックス部と、このボックス部の外面を覆うように設けられた合成樹脂からなるカバー部とを備えたことを特徴とするボックスビット工具である。
【００１８】
本発明のボックスビット工具によれば、合成樹脂からなるカバー部が、ボックス部の外面を覆うように設けられているので、ボックス部がボルトの頭部もしくはナットの外周面に嵌合される際等に、製品を傷付けることを防止することができる。
【００１９】
また、本発明のボックスビット工具は、上記ボックス部の基部側に設けられた基部側部材を覆う被覆部を備えていることが好ましい。
【００２０】
この好ましい態様によれば、基部側部材を覆う被覆部が、ボックス部の基部側に設けられているので、基部側部材で製品を傷付けることを防止することができる。
【００２１】
【発明の実施の形態】
以下、添付図面を参照しながら本発明の好ましい実施の一形態について詳述する。図１は本発明の第１の実施の形態に係るビット工具１０の構成を示す外形図であり、（ａ）は、第１の実施の形態に係るビット工具１０の端面図を、（ｂ）は、第１の実施の形態に係るビット工具１０の側面図をそれぞれ示している。また、図２は第１の実施の形態に係るビット工具１０の先端１０ａの構成を示す拡大図であり、（ａ）は、ビット工具１０の先端１０ａの端面図を、（ｂ）は、ビット工具１０の先端１０ａの側面図をそれぞれ示している。
【００２２】
図１、図２に示すように、第１の実施の形態に係るビット工具１０は、ボルト１の頭部１ａに設けられた六角形の角溝１ｂに先端１０ａが嵌入されてボルト１を回動させるのに用いられる工具であって、ボルト１の頭部１ａの角溝１ｂに嵌入される先端部２と、この先端部２の端面２ａに設けられた緩衝部３と，本体部４と、図略のエアインパクト駆動装置に接続されるジョイント部５とを備えている。
【００２３】
上記先端部２は、ボルト１の頭部１ａの角溝１ｂに嵌入されてボルト１を回動させるために、角溝１ｂに適合した六角形の断面を有している。この先端部２は、端面２ａの概ね中央に後述する緩衝部３の突起部３ｂを圧入により収容する有底円形の突起部収容孔２ｂが設けられており、また、この端面２ａの周囲には、面取り部２ｃが設けられている。
【００２４】
上記緩衝部３は、合成樹脂の一体成形品であり、ビット工具１０の先端部２の端面２ａを覆う板状部３ａと、この板状部３ａの概ね中央に設けられた突起部３ｂとを有している。
【００２５】
上記板状部３ａは、第１の実施の形態に係るビット工具１０においては、先端部２の端面２ａの中央部を覆う円板状に形成されている。
【００２６】
また、突起部３ｂは、板状部３ａの概ね中央に設けられた円柱状の突起であり、前述の先端部２の有底円形の突起部収容孔２ｂに圧入により収容されている。
【００２７】
上記本体部４は、断面六角形の先端部２とほぼ同じ径を有する円柱状の部分であり、狭隘な作業環境でもボルト１の頭部１ａに先端１０ａをセットするために十分な長さを有している。
【００２８】
上記ジョイント部５は、ビット工具１０が図略のエアインパクト駆動装置に駆動されるために設けられた部分であり、断面六角形の先端部２とほぼ同じ径の六角形の断面を有する被駆動部５ａと、エアインパクト駆動装置に取り付けられる際の抜け防止のための抜け止め部５ｂとを有している。
【００２９】
次に、図１を参照して、本発明の第１の実施の形態に係るビット工具１０の作用について説明する。図１に示すように、第１の実施の形態に係るビット工具１０は、ボルト１の頭部１ａに設けられた六角形の角溝１ｂに緩衝部３を備えた先端１０ａが嵌入され、ジョイント部５が、図略のエアインパクト駆動装置に駆動されてボルト１を回動させる。
【００３０】
このように、本発明の第１の実施の形態に係るビット工具１０によれば、先端部２の端面２ａに合成樹脂からなる緩衝部３を備えているので、ビット工具１０の先端１０ａがボルト１の頭部１ａの角溝１ｂに嵌入される際等に、ボルト１が具備されている製品のボルト１周辺の部分に誤ってビット工具１０の先端１０ａが当たった場合でも、製品を傷付けることを防止することができる。
【００３１】
また、緩衝部３が、板状部３ａと、この板状部３ａの概ね中央に設けられた突起部３ｂとを有し、先端部２が、突起部３ｂを圧入により収容する突起部収容孔２ｂを有しているので、緩衝部３の突起部３ｂを先端部２の突起部収容孔２ｂに収容することにより、板状部３ａを先端部２に取り付けて容易に先端部２の端面２ａを覆うようにすることができる。
【００３２】
また、板状部３ａが、先端部２の端面２ａの中央部を覆う円板状に形成されているので、どの方向からでもビット工具１０の先端１０ａをボルト１の頭部１ａの角溝１ｂにスムースに嵌入させることができる。
【００３３】
ここで、図３は本発明の第２の実施の形態に係るビット工具２０の構成を示す外形図である。（ａ）は、第２の実施の形態に係るビット工具２０の端面図を、（ｂ）は、第２の実施の形態に係るビット工具２０の側面図をそれぞれ示している。また、図４は第２の実施の形態に係るビット工具２０の先端２０ａの構成を示す拡大図であり、（ａ）は、ビット工具２０の先端２０ａの端面図を、（ｂ）は、ビット工具２０の先端２０ａの側面図をそれぞれ示している。なお以下の説明では、第１の実施形態と同様の部材には同一の符号を付し、重複する説明を省略するものとする。
【００３４】
図３、図４に示すように、第２の実施の形態に係るビット工具２０も、ボルト１の頭部１ａに設けられた六角形の角溝１ｂに先端２０ａが嵌入されてボルト１を回動させるのに用いられる工具であって、本体部４と、ジョイント部５との構成は第１の実施の形態に係るビット工具１０と同様である。
【００３５】
また、第２の実施の形態に係るビット工具２０においては、緩衝部３の板状部３ａは、特にビット工具２０の先端部２の端面２ａの全面を覆うような合成樹脂の一体成形品で構成されている。
【００３６】
このように、本発明の第２の実施の形態に係るビット工具２０によれば、板状部３ａが、先端部２の端面２ａの全面を覆うように形成されているので、ビット工具２０の先端２０ａで製品を傷付けることをより確実に防止することができる。
【００３７】
また、先端部２の端面２ａの周囲に面取り部２ｃが設けられているので、緩衝部３が磨耗して先端部２が露出した後でもビット工具２０の先端２０ａをボルト１の頭部１ａの角溝１ｂにスムースに嵌入させることができる。
【００３８】
また、図５は本発明の第３の実施の形態に係るボックスビット工具３０の構成を示す外形図であり、（ａ）は、第３の実施の形態に係るボックスビット工具３０の端面図を、（ｂ）は、第３の実施の形態に係るボックスビット工具３０の側面図をそれぞれ示している。
【００３９】
図５に示すように、第３の実施の形態に係るボックスビット工具３０は、ボルトの頭部もしくはナット１ｃの外周面に嵌合してボルトの頭部もしくはナット１ｃを回動させるのに用いられる工具であって、ボルトの頭部もしくはナット１ｃの外周面に嵌合するボックス部６と、このボックス部６の外面を覆うように設けられた合成樹脂からなるカバー部７と、本体部４と、図略のエアインパクト駆動装置に接続されるジョイント部５とを備えている。
【００４０】
ここで、本体部４と、ジョイント部５との構成は第１、第２の実施の形態に係るビット工具１０と同様である。
【００４１】
上記ボックス部６は、ボルトの頭部もしくはナット１ｃの外周面に嵌合してボルトの頭部もしくはナット１ｃを回動させるためにボルトの頭部もしくはナット１ｃに適合した六角形の断面を有する開口６ａを有している。
【００４２】
上記カバー部７は、ボックス部６の外周面を覆う筒部７ｂと、この筒部７ｂの先端から内方へ折り返されて、ボックス部６の開口６ａを先端３０ａ側から臨めるように開口７ａを有するフランジ部７ｃとから、概ね円筒状に成形された合成樹脂の一体成形品であり、ボックス部６の先端３０ａ側から圧入され、ボックス部６の外周面と端面とを含む外面を覆うように設けられている。
【００４３】
このように、本発明の第３の実施の形態に係るボックスビット工具３０によれば、合成樹脂からなるカバー部７が、ボックス部６の外面を覆うように設けられているので、ボックス部６がボルトの頭部もしくはナット１ｃの外周面に嵌合される際に、誤って製品に当たっても製品を傷付けることを防止することができる。
【００４４】
さらに、図６は本発明の第４の実施の形態に係るボックスビット工具４０の構成を示す外形図であり、（ａ）は、第４の実施の形態に係るボックスビット工具４０の端面図を、（ｂ）は、第４の実施の形態に係るボックスビット工具４０の側面図をそれぞれ示している。
【００４５】
図６に示すように、第４の実施の形態に係るボックスビット工具４０も、ボルトの頭部もしくはナット１ｃの外周面に嵌合してボルトの頭部もしくはナット１ｃを回動させるのに用いられる工具であって、ボックス部６と、カバー部７と、本体部４と、ジョイント部５とは、第３の実施の形態に係るボックスビット工具３０と同様の構成である。
【００４６】
ここで、第４の実施の形態に係るボックスビット工具４０は、さらに、ボックス部６の基部側に設けられた基部側部材８を覆う被覆部９を備えている。
【００４７】
上記被覆部９は、第４の実施の形態においては、連設部被覆部９ａと本体部被覆部９ｂとを有している。
【００４８】
この連設部被覆部９ａは、ボックス部６と本体部４とを連設する連設部８ａを覆うものであり、硬質樹脂製のカバー部７と異なり、概ね円筒状に成形された軟質合成樹脂のチューブである。この連設部被覆部９ａは、ボックスビット工具４０の基端側から圧入され、連設部８ａの外面を覆うように設けられている。
【００４９】
また、本体部被覆部９ｂは、本体部４を覆うものであり、概ね円筒状に成形された合成樹脂のチューブがボックスビット工具４０の基端側から挿入され、熱を加えて収縮させることにより、本体部４の外面を覆うように設けられている。
【００５０】
このように、本発明の第４の実施の形態に係るボックスビット工具４０によれば、基部側部材８を覆う被覆部９が設けられているので、基部側部材８で製品を傷付けることを防止することができる。
【００５１】
上述した実施の形態は本発明の好ましい具体例を例示したものに過ぎず、本発明は上述した実施の形態に限定されない。
【００５２】
例えば、ビット工具１０、２０の先端部２の形状とボックスビット工具３０、４０の開口６ａの形状は、六角形の形状に限定されない。三角形やその他の多角形など、種々の設計変更が可能である。
【００５３】
また、本体部４及びジョイント部５の構造は本発明で限定するものではなく、また、エアインパクト駆動装置も必須ではない。手作業のためのドライバーにも適用可能であるなど、種々の設計変更が可能である。
【００５４】
緩衝部３の突起部３ｂも必ずしも円柱状の突起である必要はなく、四角柱、三角柱などその他の形状が採用可能である。また、圧入以外の方法として、あるいは圧入と同時に接着剤を用いて接着するなどの方法で取り付けることも可能である。
【００５５】
ボックスビット工具３０のカバー部７も必ずしも図示のような円筒形の形状に限定されない。ボックス部６の外面を覆うように設けられているものであれば、種々の設計変更が可能である。また、緩衝部３の突起部３ｂと同様、圧入以外の方法として、あるいは圧入と同時に接着剤を用いて接着するなどの方法で取り付けることも可能である。
【００５６】
基部側部材８を覆う被覆部９についても必ずしも連設部被覆部９ａと本体部被覆部９ｂとを有する必要はなく、どちらか一方だけでもよい。また、連設部被覆部９ａは、合成樹脂のチューブがボックスビット工具３０の基端側から挿入され、熱を加えて収縮させることにより、本体部４の外面を覆うようにすることも可能であるし、逆に、本体部被覆部９ｂも軟質合成樹脂のチューブを基端側から圧入して本体部４の外面を覆うようにすることも可能である。
【００５７】
【発明の効果】
以上説明したように、本発明は、ビット工具における先端部の端面に合成樹脂からなる緩衝部材を設け、あるいは、ボックスビット工具におけるボックス部の外面を覆うように合成樹脂からなるカバー部を設けているため、作業中に製品を傷付けることを防止することができるという顕著な効果を奏する。
【図面の簡単な説明】
【図１】本発明の第１の実施の形態に係るビット工具の構成を示す外形図であり、（ａ）は、第１の実施の形態に係るビット工具の端面図を、（ｂ）は、第１の実施の形態に係るビット工具の側面図をそれぞれ示している。
【図２】第１の実施の形態に係るビット工具の先端の構成を示す拡大図であり、（ａ）は、ビット工具の先端の端面図を、（ｂ）は、ビット工具の先端の側面図をそれぞれ示している。
【図３】本発明の第２の実施の形態に係るビット工具の構成を示す外形図であり、（ａ）は、第２の実施の形態に係るビット工具の端面図を、（ｂ）は、第２の実施の形態に係るビット工具の側面図をそれぞれ示している。
【図４】第２の実施の形態に係るビット工具の先端の構成を示す拡大図であり、（ａ）は、ビット工具の先端の端面図を、（ｂ）は、ビット工具の先端の側面図をそれぞれ示している。
【図５】本発明の第３の実施の形態に係るボックスビット工具の構成を示す外形図であり、（ａ）は、第３の実施の形態に係るボックスビット工具の端面図を、（ｂ）は、第３の実施の形態に係るボックスビット工具の側面図をそれぞれ示している。
【図６】本発明の第４の実施の形態に係るボックスビット工具の構成を示す外形図であり、（ａ）は、第４の実施の形態に係るボックスビット工具の端面図を、（ｂ）は、第４の実施の形態に係るボックスビット工具の側面図をそれぞれ示している。
【符号の説明】
１            ボルト
１ａ        頭部
１ｂ        角溝
１ｃ        ボルトの頭部もしくはナット
２            先端部
２ａ        端面
２ｂ        突起部収容孔
２ｃ        面取り部
３            緩衝部
３ａ        板状部
３ｂ        突起部
６            ボックス部
７            カバー部
８            基部側部材
９            被覆部
１０、２０            ビット工具
１０ａ、２０ａ    先端
３０、４０            ボックスビット工具
【図１】
2005034915.tif 000003
【図２】
2005034915.tif 000004
【図３】
2005034915.tif 000005
【図４】
2005034915.tif 000006
【図５】
2005034915.tif 000007
【図６】
2005034915.tif 000008